(57)【要約】【課題】屋内側の水を排水可能であるとともに、高い断熱性を有する折れ戸を提供する。【解決手段】折れ戸１００では、枠体の下枠１２は、屋外側に配置された金属製の屋外側形材１２Ａと、屋内側に配置された金属製の屋内側形材１２Ｂと、屋外側形材１２Ａと屋内側形材１２Ｂとを連結し、屋外側形材１２Ａ及び屋内側形材１２Ｂよりも熱伝導率が低い連結材１２Ｃと、を有し、下枠１２には、屋外側形材１２Ａに形成された屋外側壁部ｇ１１、屋外側壁部ｇ１１の下端部から屋内側の延びる底壁部１２１ａ及び底壁部１２１ａと屋内側形材１２Ｂとを連結する連結材１２Ｃから形成され、下方に凹む溝部Ｇ１と、障子２の下端部と当接して障子２の下端部と下枠との間の隙間Ｔを閉塞する気密部４０と、が設けられ、底壁部１２１ａには、水を排水可能な排水孔１２１ｈが形成されていることを特徴とする。【選択図】図３
2019196600.tif 000002
【特許請求の範囲】
【請求項１】
建築物の開口部に沿って設置される枠体内に障子が配置され、該障子が折り畳み及び展開されることにより開閉可能とされた折れ戸であって、
前記枠体の下枠は、
屋外側に配置された金属製の屋外側形材と、
屋内側に配置された金属製の屋内側形材と、
前記屋外側形材と前記屋内側形材とを連結し、前記屋外側形材及び前記屋内側形材よりも熱伝導率が低い連結材と、を有し、
前記下枠には、
前記屋外側形材に形成された屋外側壁部、前記屋外側壁部の下端部から屋内側の延びる底壁部及び該底壁部と前記屋内側形材とを連結する前記連結材から形成され、下方に凹む溝部と、
前記障子の下端部と当接して該障子の下端部と前記下枠との間の隙間を閉塞する気密部と、が設けられ、
前記底壁部には、水を排水可能な排水孔が形成されていることを特徴とする折れ戸。
【請求項２】
前記排水孔は、前記連結材よりも屋外側に配置されている請求項１に記載の折れ戸。
【請求項３】
前記排水孔は、前記障子の下端部における前記気密部と当接可能な当接面よりも屋内側に配置されている請求項１または２に記載の折れ戸。
【請求項４】
前記気密部は、前記障子の下端部と前記下枠との間の前記隙間を閉塞するシール位置と、前記隙間を開放する開放位置との間を移動可能とされるとともに、前記開放位置で前記溝部に収容されている請求項１から３のいずれか一項に記載の折れ戸。
【発明の詳細な説明】
【技術分野】
【０００１】
本発明は、折れ戸に関するものである。
【背景技術】
【０００２】
従来から、建築物の開口に設置され建具には、障子と枠体との間に生じる隙間を閉塞するシール部材が設けられている。例えば、下記の特許文献１には、障子の下端部と下枠との間の隙間を閉塞可能な回転シール体が設けられた折れ戸が提案されている。下枠には、折れ戸が開いた際に、回転シール体を収容可能な溝部が形成されている。
【先行技術文献】
【特許文献】
【０００３】
【特許文献１】特開２００６−３７４２４号公報
【発明の概要】
【発明が解決しようとする課題】
【０００４】
しかしながら、上記の特許文献１に記載の折れ戸のように溝部が形成された下枠では、雨水が屋内側に浸入したり、結露水が屋内側で発生したりすると、水が溝部に溜まってしまうという問題点がある。
また、下枠が金属製の場合、外気の冷気が下枠を伝って屋内側に伝達されるため、断熱性が悪いという欠点がある。
【０００５】
そこで、本発明は、上記事情に鑑みてなされたものであり、屋内側の水を排水可能であるとともに、高い断熱性を有する折れ戸を提供する。
【課題を解決するための手段】
【０００６】
上記目的を達成するために、本発明は以下の手段を採用している。
すなわち、本発明に係る折れ戸は、建築物の開口部に沿って設置される枠体内に障子が配置され、該障子が折り畳み及び展開されることにより開閉可能とされた折れ戸であって、前記枠体の下枠は、屋外側に配置された金属製の屋外側形材と、屋内側に配置された金属製の屋内側形材と、前記屋外側形材と前記屋内側形材とを連結し、前記屋外側形材及び前記屋内側形材よりも熱伝導率が低い連結材と、を有し、前記下枠には、前記屋外側形材に形成された屋外側壁部、前記屋外側壁部の下端部から屋内側の延びる底壁部及び該底壁部と前記屋内側形材とを連結する前記連結材から形成され、下方に凹む溝部と、前記障子の下端部と当接して該障子の下端部と前記下枠との間の隙間を閉塞する気密部と、が設けられ、前記底壁部には、水を排水可能な排水孔が形成されていることを特徴とする。
【０００７】
このように構成された折れ戸では、気密部（気密材）が障子の下端部と当接することにより、障子の下端部と下枠との間の隙間が閉塞される。屋外側形材、連結材及び屋内側形材にまたがって形成された溝部の底壁部には、排水孔が形成されている。よって、屋内側に浸入した雨や、屋内側で発生した結露水等の水は、溝部の排水孔を通過して、屋外側に排水される。
また、金属製の屋外側形材と金属製の屋内側形材との間には、屋外側形材及び屋内側形材よりも熱伝導率が低い連結材が配置されている。よって、連結材が屋外側形材と屋内側形材との間の熱伝達を絶縁するため、断熱性を高めることができる。
【０００８】
また、本発明に係る折れ戸では、前記排水孔は、前記連結材よりも屋外側に配置されていることが好ましい。
【０００９】
このように構成された折れ戸では、（連結材が排水孔よりも屋外側にある場合には、排水孔を通過した水の排水経路が連結材で遮断されてしまうが、）排水孔は連結材よりも屋外側に配置されているため、連結材が排水孔を通過した水の支障となることなく、水は屋外に排水される。
【００１０】
また、本発明に係る折れ戸では、前記排水孔は、前記障子の下端部における前記気密部と当接可能な当接面よりも屋内側に配置されていてもよい。
【００１１】
このように構成された折れ戸では、溝部に形成された排水孔は、障子の下端部における気密部と当接可能な当接面よりも屋内側に配置されている。よって、気密部よりも屋内側の水を排水することができる。
【００１２】
また、本発明に係る折れ戸では、前記気密部は、前記障子の下端部と前記下枠との間の前記隙間を閉塞するシール位置と、前記隙間を開放する開放位置との間を移動可能とされるとともに、前記開放位置で前記溝部に収容されていることが好ましい。
【００１３】
このように構成された折れ戸では、気密部は開放位置で溝部に収容されるため、障子が開いた状態で、下枠に設けられた気密部が歩行等の妨げ等になることがない。
【発明の効果】
【００１４】
本発明に係る折れ戸によれば、屋内側の水を排水可能であるとともに、高い断熱性を有する。
【図面の簡単な説明】
【００１５】
【図１】本発明の一実施形態に係る折れ戸を屋内側から見た斜視図である。
【図２】本発明の一実施形態に係る折れ戸の横断面図である。
【図３】本発明の一実施形態に係る折れ戸の縦断面図である。
【図４】図３の下部の拡大図である。
【発明を実施するための形態】
【００１６】
以下、本発明の一実施形態に係る折れ戸について、図１から図４に基づいて説明する。
図１は、本発明の一実施形態に係る折れ戸を屋内側から見た斜視図である。
図１に示すように、折れ戸１００は、建築物の開口部に設けられ、四角形枠状に形成された枠体１と、枠体１に開閉可能に設けられた２枚の障子２と、を備えている。折れ戸１００は、各障子２が折り畳み及び展開されることにより開閉可能とされている。本実施形態では、枠体１内に２枚の障子２が配置されているが、障子２の枚数は適宜設定可能である。
なお、以下の説明において、屋外側と屋内側とを結ぶ方向を屋内外方向と称する。また、開口部が建築物の壁部を貫通する方向（壁部に対向する方向）から見た際の左側と右側を結ぶ水平方向を左右方向と称する。
【００１７】
図２は、折れ戸１００の横断面図である。図３は、折れ戸１００の縦断面図である。
図２及び図３に示すように、枠体１は、屋外側に配置されアルミ合金等の金属材料で形成された金属枠１Ａと、屋内側に配置され合成樹脂材料で形成された樹脂枠１Ｘと、が連結されて構成されている。
【００１８】
枠体１は、左右方向に延在する上枠１１及び下枠１２と、上枠１１の左右方向の両端部と下枠１２の左右方向の両端部とをそれぞれ連結し上下方向に延在する縦枠１３と、を有している。
【００１９】
図３に示すように、上枠１１の金属枠１Ａは、屋外側に配置された外側金属上枠部１１Ａと、屋内側に配置された内側金属上枠部１１Ｂと、を有している。
【００２０】
外側金属上枠部１１Ａと内側金属上枠部１１Ｂとは、外側金属上枠部１１Ａ及び内側金属上枠部１１Ｂよりも熱伝導率が低い材料で形成されたブリッジ材１１Ｃを介して連結されている。ブリッジ材１１Ｃは、熱伝導率が低い樹脂材料やゴム等で形成されている。
【００２１】
下枠１２の金属枠１Ａは、屋外側に配置された外側金属下枠部（屋外側形材）１２Ａと、屋内側に配置された内側金属下枠部（屋内側形材）１２Ｂと、を有している。
【００２２】
外側金属下枠部１２Ａと内側金属下枠部１２Ｂとは、外側金属下枠部１２Ａ及び内側金属下枠部１２Ｂよりも熱伝導率が低い材料で形成されたブリッジ材（連結材）１２Ｃを介して連結されている。換言すると、外側金属下枠部１２Ａと内側金属下枠部１２Ｂとの間には、ブリッジ材１２Ｃ以外の部材が配置されていない。ブリッジ材１２Ｃは、熱伝導率が低い樹脂材料やゴム等で形成されている。
【００２３】
図１に示すように、各障子２は、一対の戸体２Ｄと、戸体２Ｄどうしを連結する連結框３と、を有している。
【００２４】
各戸体２Ｄは、四角形状に形成された框体２０と、框体２０内に嵌め込まれたガラス２９と、を有している。
【００２５】
図２及び図３に示すように、框体２０は、左右方向に延在する上框２１及び下框２２と、上框２１の左右方向の両端部と下框２２の左右方向の両端部とをそれぞれ連結し上下方向に延在する縦框２３と、を有している。
【００２６】
図３に示すように、各縦框２３（図２参照。以下同じ。）の上端部には、吊車（不図示。以下同じ。）が上方に突出して設けられている。吊車は、上枠１１に設けられた左右方向に延びる吊レール１１０上に係合され、吊レール１１０に沿って走行可能とされている。このように、本実施形態の折れ戸１００は、障子２の上端部が上枠１１に支持された所謂上吊りの構成とされている。
【００２７】
縦框２３のうち連結框３側と反対側の縦框２３の下端部には、ガイドローラ（不図示。以下同じ。）が下方に突出して設けられている。ガイドローラは、下枠１２に設けられた左右方向に延びるガイド溝Ｇ３に挿入されて、ガイド溝Ｇ３に案内されて左右方向に移動可能とされている。
【００２８】
図１に示すように、連結框３は、一対の戸体２Ｄの一端部（隣り合う戸体２Ｄ側の端部）どうしを連結している。連結框３には、上下方向に延びるヒンジ軸３１（図２参照。以下同じ。）が設けられている。戸体２Ｄは、ヒンジ軸３１回りに回動可能とされている。
【００２９】
連結框３の屋内側には、ハンドル３２が設けられている。図３に示すように、連結框３内の中空部３ｓ（図２参照。以下同じ。）には、ロック部材３３が設けられている。ロック部材３３は、ハンドル３２（図２参照。以下同じ。）と不図示の連動機構を介して連結され、ハンドル３２の操作と連動して上下方向に移動可能に構成されている。
【００３０】
ロック部材３３の下端部には、下方に突出するロック部３３ａ及び押圧部３３ｂが設けられている。ハンドル３２の操作（ロック操作）により、ロック部材３３が連結框３の中空部３ｓ内を下方に移動し、ロック部３３ａが下枠１２のガイド溝Ｇ３内に挿入される。これにより、戸体２Ｄが閉状態でロックされる。また、ハンドル３２の操作（ロック解除操作）により、ロック部材３３が連結框３の中空部３ｓ内を上方に移動し、ロック部３３ａが下枠１２のガイド溝Ｇ３から抜け出される。これにより、戸体２Ｄのロックが解除される。連結框３の上端部には、上枠１１に設けられた左右方向に延びる吊レール１１０に挿入可能なロッドガイド３４が設けられている。
【００３１】
次に、下枠１２及び下枠１２に設けられた回転シール体４０の構成について詳細に説明する。
図４は、図３の下部の拡大図である。
図４に示すように、下枠１２の外側金属下枠部１２Ａは、中段板部１２１と、下段板部１２２と、下部外側板部１２３と、内側板部１２４と、シール支持板部１２５と、内側溝構成板部１２６と、外側溝構成板部１２７と、上部外側板部１２８と、上段板部１２９と、を有している。
【００３２】
中段板部１２１は、板状に形成されている。中段板部１２１は、板厚方向を上下方向に向けて配置されている。中段板部１２１の屋内側の部分（シール支持板部１２５よりも屋内側の部分）には、上下方向に貫通する排水孔１２１ｈが形成されている。本実施形態では、排水孔１２１ｈは、下枠１２の左右方向の両端部近傍に形成されている（図２の破線参照）。
【００３３】
下段板部１２２は、板状に形成されている。下段板部１２２は、中段板部１２１の下方に配置されている。下段板部１２２は、屋外側の方が屋内側よりも下方に配置されるように傾斜している。
【００３４】
下部外側板部１２３は、中段板部１２１の屋外側の端部と下段板部１２２の屋外側の端部とを連結している。下部外側板部１２３は、板状に形成されている。下部外側板部１２３は、板厚方向を屋内外方向に向けて配置されている。
【００３５】
下部外側板部１２３の下部には、屋内外方向に貫通する排水孔１２３ｈが形成されている。本実施形態では、排水孔１２３ｈは、下枠１２の左右方向の両端部近傍に形成されている。排水孔１２３ｈには逆止弁１３３が設けられ、水の逆流（屋内側への浸入）が抑制されている。
【００３６】
内側板部１２４は、中段板部１２１の屋内側の端部と下段板部１２２の屋内側の端部とを連結している。内側板部１２４は、板状に形成されている。内側板部１２４は、板厚方向を屋内外方向に向けて配置されている。
【００３７】
内側板部１２４には、屋内側に向かって突出する一対の突起部１２４ａ，１２４ｂが形成されている。突起部１２４ａ，１２４ｂは、上下方向に離間して配置されている。
【００３８】
シール支持板部１２５は、中段板部１２１の屋内側の部分から上方に立設されている。シール支持板部１２５は、板状に形成されている。シール支持板部１２５は、板厚方向を屋内外方向に向けて配置されている。
【００３９】
シール支持板部１２５の上端部には、屋内外方向且つ上下方向に沿う断面が略円形状の回動軸部１２５ａが設けられている。回動軸部１２５ａは、左右方向に延びている。
【００４０】
内側溝構成板部１２６は、中段板部１２１におけるシール支持板部１２５よりも屋外側の部分から上方に立設されている。内側溝構成板部１２６は、板状に形成されている。内側溝構成板部１２６は、板厚方向を屋内外方向に向けて配置されている。
【００４１】
内側溝構成板部１２６の下部には、屋内外方向に貫通する排水孔１２６ｈが形成されている。本実施形態では、排水孔１２６ｈは、下枠１２の左右方向の両端部近傍に形成されている。
【００４２】
外側溝構成板部１２７は、中段板部１２１における内側溝構成板部１２６よりも屋外側の部分から上方に立設されている。外側溝構成板部１２７は、板状に形成されている。外側溝構成板部１２７は、板厚方向を屋内外方向に向けて配置されている。
【００４３】
外側溝構成板部１２７の下部には、屋内外方向に貫通する排水孔１２７ｈが形成されている。本実施形態では、排水孔１２７ｈは、下枠１２の左右方向の両端部近傍に形成されている。
【００４４】
上部外側板部１２８は、中段板部１２１の屋外側の部分から上方に立設されている。上部外側板部１２８は、板状に形成されている。上部外側板部１２８は、板厚方向を屋内外方向に向けて配置されている。
【００４５】
上部外側板部１２８の下部には、屋内外方向に貫通する排水孔１２８ｈが形成されている。本実施形態では、排水孔１２８ｈは、下枠１２の左右方向の両端部近傍に形成されている。排水孔１２８ｈには、屋内側から屋外側への排水を可能な排水カバー１３８が設けられている。
【００４６】
上段板部１２９は、外側溝構成板部１２７の上端部と上部外側板部１２８の上端部とを連結している。上段板部１２９は、板状に形成されている。上段板部１２９は、板厚方向を上下方向に向けて配置されている。上段板部１２９の屋外側の部分は、屋外側に向かうにしたがって次第に下方に向かうようにわずかに傾斜している。
【００４７】
中段板部１２１、下部外側板部１２３、下段板部１２２及び内側板部１２４により、左右方向に延在する下部ホローＳ１が形成されている。上段板部１２９、上部外側板部１２８、中段板部１２１及び外側溝構成板部１２７により、左右方向に延在する上部ホローＳ２が形成されている。下部ホローＳ１及び上部ホローＳ２は、下枠１２の延在方向（左右方向）の略全長にわたって形成されている。
【００４８】
下枠１２の内側金属下枠部１２Ｂは、略角筒状に形成された筒状部１４１を有している。筒状部１４１の内部には、左右方向に延在する屋内側ホローＳ３が形成されている。屋内側ホローＳ３は、下枠１２の延在方向（左右方向）の略全長にわたって形成されている。
【００４９】
筒状部１４１の上端部には、上方に立設された一対の係止壁部１４２，１４３が、屋内外方向に離間して配置されている。係止壁部１４２，１４３に下枠１２の樹脂枠１Ｘが係止されている。係止壁部１４２は、係止壁部１４３よりも屋外側に配置されている。
【００５０】
筒状部１４１におけるシール支持板部１２５と対向する壁部１４４には、屋外側に向かって突出する一対の突起部１４４ａ，１４４ｂが形成されている。突起部１４４ａ，１４４ｂは、上下方向に離間して配置されている。
【００５１】
下枠１２のブリッジ材１２Ｃは、外側金属下枠部１２Ａの内側板部１２４と、内側金属下枠部１２Ｂの壁部１４４との間に挟み込まれている。ブリッジ材１２Ｃは、外側金属下枠部１２Ａの一対の突起部１２４ａ，１２４ｂ及び内側金属下枠部１２Ｂの一対の突起部１４４ａ，１４４ｂに係止されている。
【００５２】
下枠１２には、シール支持板部１２５と筒状部１４１の壁部１４４及び係止壁部１４２との間に、後述する回転シール体４０を収容可能なシール溝（溝部）Ｇ１が形成されている。詳細には、シール溝Ｇ１は、シール支持板部１２５、中段板部１２１の底壁部（屋内側の部分）１２１ａ、ブリッジ材１２Ｃの上面、筒状部１４１の壁部１４４及び係止壁部１４２で形成されている。シール溝Ｇ１は、下方に凹む形状をなしている。
【００５３】
シール支持板部１２５が、シール溝Ｇ１の屋外側の壁部（屋外側壁部）ｇ１１を形成している。中段板部１２１の底壁部１２１ａ及びブリッジ材１２Ｃの上面が、シール溝Ｇ１の底部ｇ１２を形成している。筒状部１４１の壁部１４４及び係止壁部１４２が、シール溝Ｇ１の屋内側の壁部ｇ１３を形成している。
【００５４】
下枠１２には、内側溝構成板部１２６とシール支持板部１２５との間に、ロック部材３３の押圧部３３ｂが配置される挿入溝Ｇ２が形成されている。詳細には、挿入溝Ｇ２は、内側溝構成板部１２６、中段板部１２１及びシール支持板部１２５で形成されている。挿入溝Ｇ２は、下方に凹む形状をなしている。
【００５５】
下枠１２には、外側溝構成板部１２７と内側溝構成板部１２６との間に、ガイドローラ及びロック部材３３のロック部３３ａが挿入されるガイド溝Ｇ３が形成されている。詳細には、ガイド溝Ｇ３は、外側溝構成板部１２７、中段板部１２１及び内側溝構成板部１２６で形成されている。ガイド溝Ｇ３は、下方に凹む形状をなしている。
【００５６】
回転シール体４０は、下枠１２に回動可能に設けられている。図１に示すように、本実施形態では、一対の回転シール体４０が隣接配置され、下枠１２の延在方向（左右方向）の略全長にわたって設けられている。
【００５７】
図４に示すように、回転シール体（気密部）４０は、内周部材４１と、外周部材４２と、シール部材４３と、を有している。
【００５８】
内周部材４１は、屋内外方向且つ上下方向に沿う断面で略扇状をなしている。内周部材４１は、回動軸部１２５ａから延び、回動軸部１２５ａから離間するにしたがって次第に互いに離間するように形成された一対の延出部４１１を有している。延出部４１１における回動軸部１２５ａ側と反対側の部分どうしは内周側湾曲部４１２で連結されている。
【００５９】
一対の延出部４１１における内周側湾曲部４１２と反対側の端部には、軸受け部４１３が設けられている。軸受け部４１３は、回動軸部１２５ａ回りに回動可能に設けられている。
【００６０】
軸受け部４１３の外周面に沿って、被押圧部４１４が設けられている。障子２が開いた開状態では、回転シール体４０は図４に二点鎖線で示す開放位置Ａ１に配置され、軸受け部４１３は屋外側に向かうにしたがって次第に下方に向かうように配置されている。障子２が閉じた閉状態では、回転シール体４０は図４に実線で示すシール位置Ａ２に配置され、軸受け部４１３は鉛直下方に向かって配置されている。
【００６１】
外周部材４２は、回動軸部１２５ａを中心とする周方向において、内周部材４１の内周側湾曲部４１２の外周側に設けられている。外周部材４２は、内周部材４１の内周側湾曲部４１２の外周側に沿う外周側湾曲部４２１を有している。外周側湾曲部４２１と内周側湾曲部４１２とは係止され、連結されている。
【００６２】
シール部材４３は、障子２の閉状態で、内周部材４１における障子２に近接する側に係止されている。シール位置Ａ２で、シール部材４３は、障子２の下框２２に当接している。
【００６３】
上記の回転シール体４０は、開状態では、回転シール体４０の自重により、外周側湾曲部４２１側を下方に向けるように配置されている。回転シール体４０は、下枠１２のシール溝Ｇ１に収容され、開放位置に配置されている。開放位置では、障子２の下端部と下枠１２との間の隙間Ｔは開放されている。
【００６４】
この状態で、ハンドル３２を操作（ロック操作）して、ロック部材３３が下方に移動すると、押圧部３３ｂが回転シール体４０の被押圧部４１４に当接する。ロック部材３３がさらに下方に移動すると、押圧部３３ｂから被押圧部４１４に作用する押圧力により、回転シール体４０は下枠１２の回動軸部１２５ａを中心に回動しシール溝Ｇ１から突出して、シール位置Ａ２に配置される。シール位置Ａ２では、回転シール体４０のシール部材４３の屋外側を向く面４３ａが障子２の下框２２の屋内側を向く面（当接面）２２ａに当接し、障子２の下端部と下枠１２との間の隙間Ｔを塞いでいる。
【００６５】
シール位置Ａ２では、シール部材４３の面４３ａ及び下框２２の面２２ａに沿って、略鉛直面に沿う気密ラインＬが形成されている。シール溝Ｇ１の底部ｇ１２に形成された排水孔１２１ｈは、気密ラインＬよりも屋内側に配置されている。
【００６６】
シール溝Ｇ１内に浸入した雨水や屋内側で発生した結露水等の水は、中段板部１２１の排水孔１２１ｈから下部ホローＳ１に滴下され、下部ホローＳ１内を下段板部１２２の傾斜に沿って屋外側に進み、下部外側板部１２３の排水孔１２３ｈから屋外に排水される（図４に示す二点鎖線Ｂ１参照）。
【００６７】
挿入溝Ｇ２内に浸入した水は、内側溝構成板部１２６の排水孔１２６ｈを通過してガイド溝Ｇ３内に進み、外側溝構成板部１２７の排水孔１２７ｈを通過して上部ホローＳ２内に進み、上部外側板部１２８の排水孔１２８ｈから屋外に排水される（図４に示す二点鎖線Ｂ２参照）。
【００６８】
このように構成された折れ戸１００では、回転シール体４０のシール部材４３が障子２の下端部と当接することにより、障子２の下端部と下枠１２との間の隙間Ｔが閉塞される。外側金属下枠部１２Ａ、ブリッジ材１２Ｃ及び内側金属下枠部１２Ｂにまたがって形成されたシール溝Ｇ１の底壁部１２１ａには、排水孔１２１ｈが形成されている。よって、屋内側に浸入した雨や、屋内側で発生した結露水等の水は、シール溝Ｇ１の排水孔１２１ｈを通過して、屋外側に排水される。
【００６９】
また、（ブリッジ材が排水孔よりも屋外側にある場合には、排水孔１２１ｈを通過した水の排水経路がブリッジ材で遮断されてしまうが、）ブリッジ材１２Ｃは排水孔１２１ｈよりも屋内側に配置されているため、ブリッジ材１２Ｃが排水孔１２１ｈを通過した水の支障となることなく、水は屋外に排水される。よって、気密ラインＬよりも屋内側に浸入した水を排水することができる。
【００７０】
また、シール溝Ｇ１に形成された排水孔１２１ｈは、気密ラインＬよりも屋内側に配置されている。よって、気密ラインＬよりも屋内側の水は、シール溝Ｇ１の排水孔１２１ｈを通過する。
【００７１】
水が気密ラインＬを超えて屋内側に浸入し、シール溝Ｇ１に水が溜まってしまうと、開放位置の回転シール体４０がシール溝Ｇ１に溜まった水で浮いてしまい、回転シール体４０がシール溝Ｇ１に収容できない場合がある。本実施形態では、シール溝Ｇ１の底部ｇ１２の排水孔１２１ｈから水を排水できるため、回転シール体４０をシール溝Ｇ１内に確実に収容することができる。
【００７２】
また、金属製の外側金属下枠部１２Ａと金属製の内側金属下枠部１２Ｂとの間には、外側金属下枠部１２Ａ及び内側金属下枠部１２Ｂよりも熱伝導率が低い材料で形成されたブリッジ材１２Ｃが配置されている。よって、ブリッジ材１２Ｃが外側金属下枠部１２Ａと内側金属下枠部１２Ｂとの間の熱伝達を絶縁するため、断熱性を高めることができる。
【００７３】
また、回転シール体４０は開放位置でシール溝Ｇ１に収容されるため、障子２が開いた状態で、下枠１２に設けられた回転シール体４０が歩行等の妨げ等になることがない。
【００７４】
また、排水孔１２１ｈは、下方に凹むシール溝Ｇ１の底部ｇ１２を上下方向に貫通するように形成されている。よって、シール溝Ｇ１内の水は排水孔１２１ｈを下方に通過できるため、スムーズな排水が可能となる。
【００７５】
なお、上述した実施の形態において示した各構成部材の諸形状や組み合わせ等は一例であって、本発明の主旨から逸脱しない範囲において設計要求等に基づき種々変更可能である。
【００７６】
例えば、上記に示す実施形態では、気密部は下枠１２に回動可能に設けられた回転シール体４０であるが、本発明はこれに限られない。気密部は下枠１２に上下方向に移動可能とされ障子２の閉状態で上方に突出して障子２と当接可能な構成や、下枠１２に（移動不能に）固定された構成であってもよい。
【００７７】
また、上記に示す実施形態では、溝部は回転シール体４０が収容可能なシール溝Ｇ１であるが、本発明はこれに限られない。障子２の屋内側に網戸（不図示）が設けられ、溝部に網戸の下端部が配置される構成であってもよい。
【００７８】
また、上記に示す実施形態では、排水孔１２１ｈは下枠１２の中段板部１２１を上下方向に貫通するよう形成されているが、本発明はこれに限られない。排水孔が下枠１２のシール支持板部１２５を屋内外方向に貫通するように形成され、当該排水孔を通過後は、挿入溝Ｇ２内に浸入した水と同様に、内側溝構成板部１２６の排水孔１２６ｈ及び外側溝構成板部１２７の排水孔１２７ｈを通過して、上部外側板部１２８の排水孔１２８ｈから屋外に排水される構成であってもよい。
【００７９】
また、上記に示す実施形態では、ブリッジ材１２Ｃはシール溝Ｇ１の底部ｇ１２に沿って配置されているが、本発明はこれに限られない。ブリッジ材１２Ｃがシール溝Ｇ１の屋内側の壁部ｇ１３に沿って配置されていてもよい。
【符号の説明】
【００８０】
１…枠体
１Ａ…金属枠
１Ｘ…樹脂枠
２…障子
２Ｄ…戸体
３…連結框
１１…上枠
１２…下枠
１２Ａ…外側金属下枠部（屋外側形材）
１２Ｂ…内側金属下枠部（屋内側形材）
１２Ｃ…ブリッジ材（連結材）
１３…縦枠
２０…框体
２２ａ…面（当接面）
３２…ハンドル
３３…ロック部材
３３ａ…ロック部
３３ｂ…押圧部
４０…回転シール体（気密部）
４３…シール部材
１００…折れ戸
１２１…中段板部
１２１ａ…底壁部
１２１ｈ…排水孔
１２５ａ…回動軸部
４１４…被押圧部
Ａ１…開放位置
Ａ２…シール位置
Ｇ１…シール溝（溝部）
Ｇ２…挿入溝
Ｇ３…ガイド溝
ｇ１１…壁部（屋外側壁部）
ｇ１２…底部
Ｌ…気密ライン
Ｓ１…下部ホロー
Ｓ２…上部ホロー
Ｓ３…屋内側ホロー
Ｔ…隙間
【図１】
2019196600.tif 000003
【図２】
2019196600.tif 000004
【図３】
2019196600.tif 000005
【図４】
2019196600.tif 000006